(57)【要約】【課題】ロックアップ領域の拡大とエンジンストールへの耐性の確保との両立を図ることのできる車両の制御装置を提供する。【解決手段】エンジン４の暖機が未完であり、且つ吸気温が既定の判定値よりも低いこと、及びエンジン４の暖機が未完であり、且つ変速機油温が既定の判定値よりも低いこと、のいずれかが成立するときには、そうでないときに比して、ロックアップ開放車速を高くすることで、ロックアップ領域の拡大とエンジンストールへの耐性の確保との両立を図るようにした。【選択図】図１
2011169372.tif 000002
【特許請求の範囲】
【請求項１】
車両減速時に車速がロックアップ開放車速以下となるまで、エンジン出力軸と変速機入力軸とを直結して減速ロックアップを行う車両の制御装置において、
燃焼状態が悪化し易いエンジン運転状況にあるときには、そうでないときに比して、前記ロックアップ開放車速を高くする開放車速変更手段を備える
ことを特徴とする車両の制御装置。
【請求項２】
前記開放車速変更手段は、エンジンの暖機が未完であることを条件に、燃焼状態が悪化し易い機関運転状況にあると判断する
請求項１に記載の車両の制御装置。
【請求項３】
前記開放車速変更手段は、エンジンの暖機が未完であり、且つ吸気温が既定の判定値よりも低いことを条件に、燃焼状態が悪化し易い機関運転状況にあると判断する
請求項１に記載の車両の制御装置。
【請求項４】
前記開放車速変更手段は、エンジンの暖機が未完であり、且つ吸気温が既定の判定値よりも低いこと、及びエンジンの暖機が未完であり、且つ変速機油温が既定の判定値よりも低いこと、のいずれかの成立を条件に、燃焼状態が悪化し易い機関運転状況にあると判断する
請求項１に記載の車両の制御装置。
【請求項５】
前記開放車速変更手段は、エンジンの空燃比学習が未完であることを条件に、燃焼状態が悪化し易い機関運転状況にあると判断する
請求項１に記載の車両の制御装置。
【請求項６】
前記開放車速変更手段は、前記ロックアップ開放車速の高速化と共にエンジンのロックアップ時回転速度の高速化を実施する
請求項１〜５のいずれか１項に記載の車両の制御装置。
【発明の詳細な説明】
【技術分野】
【０００１】
本発明は、車両減速時にエンジン出力軸と変速機入力軸とを直結して減速ロックアップを行う車両の制御装置に関する。
【背景技術】
【０００２】
多くの車両では、燃費を向上するため、車両減速中にエンジンへの燃料供給を停止するフューエルカット制御が行われている。またロックアップクラッチ付きのトルクコンバーターを搭載する車両では、車両減速中にロックアップクラッチを係合してエンジン出力軸と変速機入力軸とを直結することで、エンジン回転速度の低下を抑え、フューエルカット制御期間の延長を図っている。一般に減速ロックアップ制御は、車速が、既定のロックアップ開放車速以下に低下するまで継続されるようになっている。
【０００３】
近年、更なる燃費向上のため、ロックアップ領域を減速側に拡大することが求められている。しかしながら、ロックアップ領域を減速側に広げ過ぎると、燃料供給の再開後にエンジンストールし易くなってしまう。
【０００４】
なお、ロックアップ開放時のエンジンストールの発生し易さは、エンジンのフリクションやロックアップクラッチの摩擦材のばらつきにより変化する。そこで従来、特許文献１に見られるように、ロックアップ開放後のエンジンストールの発生状況に応じてロックアップ開放車速を調節することで、エンジンのフリクションやロックアップクラッチの摩擦材のばらつきに拘わらず、ロックアップ開放後のエンジンストールの発生を防止する技術が提案されている。
【０００５】
なお従来には、特許文献２のように、変速機の油温が低く、変速機のフリクションが大きいときほど、ロックアップ開放車速を高くすることで、ロックアップ開放時のエンジンストールの発生を防止する技術が提案されてもいる。また特許文献３のように、ＩＳＣ学習が未完のときにロックアップ開放車速を高めることで、ロックアップ開放後のエンジン回転速度の吹き上がりを防止する技術も提案されている。
【先行技術文献】
【特許文献】
【０００６】
【特許文献１】特開２００７−２１１６１９号公報
【特許文献２】特開２００３−０７４６９１号公報
【特許文献３】特開２００６−２７３０１６号公報
【発明の概要】
【発明が解決しようとする課題】
【０００７】
上記特許文献１に記載の技術によれば、エンジンのフリクションやロックアップクラッチの摩擦材のばらつきに拘らず、ロックアップ開放後のエンジンストールの発生を防止することは確かに可能ではある。しかしながら、ロックアップ開放時のエンジンストールの発生し易さは、エンジンの運転状況によっても多大な影響を受ける。そのため、運転状況によるエンジンの安定度合いを考慮していない上記従来の技術では、暖機前などの燃焼状態が悪くなる状況では、ロックアップ開放時のエンジンストールの発生を招くことがあり、その結果、ロックアップ領域の減速側への拡大も自ずと制限されてしまっている。
【０００８】
本発明は、こうした実情に鑑みてなされたものであり、その解決しようとする課題は、ロックアップ領域の拡大とエンジンストールへの耐性の確保との両立を図ることのできる車両の制御装置を提供することにある。
【課題を解決するための手段】
【０００９】
請求項１に記載の車両の制御装置では、車両減速時に車速がロックアップ開放車速以下となるまで、エンジン出力軸と変速機入力軸とを直結して減速ロックアップを行うようにしている。こうした減速ロックアップの開放時のエンジンが燃焼状態の悪い運転状況にあると、燃料供給再開後、直ちに十分なトルクを発生することができず、エンジンストールが発生してしまうことがある。
【００１０】
そこで、請求項１に記載の車両の制御装置では、燃焼状態が悪化し易いエンジン運転状況にあるときには、そうでないときに比して、ロックアップ開放車速を高くする開放車速変更手段を備えるようにしている。こうした場合、例えば暖機が未完のときや空燃比学習が未完のときのように、燃焼状態が悪化し易いエンジン運転状況にあるときには、より高車速で減速ロックアップが解除されるようになる。そのため、燃焼状態が悪く、ロックアップ開放後に多少のエンジン回転速度の落ち込みがあったとしても、エンジンストールにまで至らないようにすることができるようになる。また燃焼状態が悪化し易くないエンジン運転状況にあるときには、ロックアップ領域が減速側に拡大されるようになる。したがって、上記構成によれば、ロックアップ領域の拡大とエンジンストールへの耐性の確保との両立を図ることができるようになる。
【００１１】
エンジンの暖機前には、吸気ポートやシリンダー等の壁面温度が低く、噴射した燃料の多くが液滴として壁面に付着してしまう。そのため、エンジンの暖機が未完であると、燃料供給再開後の燃焼室に燃焼可能な混合気として流入する燃料が不足して、燃焼が悪化するようになる。そこで、請求項２によるように、エンジンの暖機が未完であることを条件に、燃焼状態が悪化し易い機関運転状況にあると判断するように上記開放車速変更手段を構成すれば、ロックアップ開放後の燃焼状態の悪化によるエンジンストールの発生を好適に防止することができるようになる。
【００１２】
またエンジンの暖機前にあっても、吸気温が低いときには、上記のような燃料の壁面付着が多くなり、燃焼状態が特に悪化し易くなる。そこで請求項３によるように、エンジンの暖機が未完であり、且つ吸気温が既定の判定値よりも低いことを条件に、燃焼状態が悪化し易い機関運転状況にあると判断すべく上記開放車速変更手段を構成すれば、ロックアップ開放後の燃焼状態の悪化によるエンジンストールの発生を好適に防止することができるようになる。
【００１３】
更にロックアップ開放後のエンジンストールは、変速機油温が低く、変速機のフリクションが高いときにも発生し易くなる。そこで請求項４によるように、エンジンの暖機が未完であり、且つ吸気温が既定の判定値よりも低いこと、及びエンジンの暖機が未完であり、且つ変速機油温が既定の判定値よりも低いこと、のいずれかの成立を条件に、燃焼状態が悪化し易い機関運転状況にあると判断するように上記開放車速変更手段を構成すれば、ロックアップ開放後のエンジンストールの発生を好適に防止することができるようになる。
【００１４】
空燃比制御を行うエンジンでは、空燃比の学習制御を行うことで、個体差や経時変化によるインジェクターの噴射率のばらつき、例えば噴孔の詰りによる噴射率の低下などに拘らず、必要な燃料噴射量を確保するようにしている。なお、こうした空燃比の学習結果は、車載バッテリーの取り外しなどによりクリアされてしまうことがある。そこでそうした場合には、空燃比の再学習が完了するまで、適量の燃料噴射ができなくなり、エンジンの燃焼状態が悪化することがある。その点、請求項５に記載の車両の制御装置では、その開放車速変更手段は、エンジンの空燃比学習が未完であることを条件に、燃焼状態が悪化し易い機関運転状況にあると判断してロックアップ開放車速を高くするようにしている。そのため、請求項５に記載の発明によれば、空燃比学習が未完であることによる燃焼状態の悪化に拘らず、ロックアップ開放時におけるエンジンストールの発生を好適に防止することができるようになる。
【００１５】
ところで、無段変速機を備える車両などでは、車速に応じて変速比の変速比を調節することで、減速ロックアップの実施中のエンジン回転速度を既定のロックアップ時回転速度に維持する制御を行っている。ロックアップ開放後のエンジンストールは、こうしたロックアップ時回転速度を高くすることによっても、その発生を防止することができる。そこで請求項６によるように、ロックアップ開放車速の高速化と共にエンジンのロックアップ時回転速度の高速化を実施するように上記開放車速変更手段を構成すれば、ロックアップ開放後のエンジンストールの発生をより確実に防止することができるようになる。なお、ロックアップ時回転速度とは、ロックアップ中に維持されるエンジン回転速度のことである。
【図面の簡単な説明】
【００１６】
【図１】本発明の第１実施形態に係る車両の制御装置についてその全体構造を模式的に示す略図。
【図２】同実施形態に採用されるロックアップ開放車速設定ルーチンの処理手順を示すフローチャート。
【図３】本発明の第２実施形態に係る車両の制御装置についてそのロックアップ開放車速設定ルーチンの処理手順を示すフローチャート。
【発明を実施するための形態】
【００１７】
（第１の実施形態）
以下、本発明の車両の制御装置を具体化した第１の実施の形態を、図１及び図２を参照して詳細に説明する。
【００１８】
図１は、本実施の形態の全体構造を示している。同図に示すように、本実施の形態の制御装置の適用される車両は、無段階に変速可能な無段変速機（ＣＶＴ１）を備えるとともに、そのＣＶＴ１が、ロックアップクラッチ２を備えるトルクコンバーター３を介してエンジン４に接続された構成となっている。トルクコンバーター３は、流体を介してＣＶＴ１、エンジン４間の動力伝達を行う流体継手となっている。またロックアップクラッチ２は、その係合を通じてＣＶＴ１とエンジン４とを直結するように構成されている。
【００１９】
これらＣＶＴ１、ロックアップクラッチ２、エンジン４は、電子制御ユニット５により制御されている。電子制御ユニット５には、アクセルペダルの操作量を検出するアクセルセンサー６、車速を検出する車速センサー７、エンジン冷却水温を検出する水温センサー８、及びエンジン４の吸気温を検出する吸気温センサー９の検出信号が入力されている。また電子制御ユニット５には、ＣＶＴ１の油温を検出する油温センサー１０、エンジン４の吸入空気量を検出する空気量センサー１１、エンジン４の空燃比を検出する空燃比センサー１２、及びエンジン４の回転速度を検出するＮＥセンサー１３の検出信号も入力されている。
【００２０】
以上のように構成された本実施の形態において、電子制御ユニット５は、車両の減速時にロックアップクラッチ２を係合して減速ロックアップ制御を行うとともに、エンジン４のフューエルカット制御を実施する。このときの電子制御ユニット５は、車速に応じてＣＶＴ１の変速比を調整することで、減速ロックアップ中のエンジン４の回転速度を既定のロックアップ時回転速度に維持するようにしている。なお、減速ロックアップ制御は、車速が既定のロックアップ開放車速以下となるまで、継続されるようになっている。
【００２１】
本実施の形態では、こうした減速ロックアップ制御におけるロックアップ時回転速度及びロックアップ開放車速が、燃焼状態が悪化し易いエンジン運転状況にあるか否かによって変更されるようになっている。具体的には、エンジン４の暖機が未完であり、且つ吸気温が既定の判定値よりも低いこと、及びエンジン４の暖機が未完であり、且つ変速機油温が既定の判定値よりも低いこと、のいずれかが成立するときには、そうでないときに比して、ロックアップ時回転速度及びロックアップ開放車速が高くされるようになっている。
【００２２】
図２は、こうした本実施の形態に採用されるロックアップ開放車速設定ルーチンのフローチャートを示している。本ルーチンの処理は、エンジン４の運転中に電子制御ユニット５によって、所定の制御周期（例えば１６ｍｓ）毎に繰り返し実行されるものとなっている。
【００２３】
さて本ルーチンが開始されると、まずステップＳ１００において、下記判定条件Ａ〜Ｈのいずれか１つ以上が成立しているか否かが判断される。
・判定条件Ａ：水温センサー８、吸気温センサー９、油温センサー１０及び空気量センサー１１に異常があること。
・判定条件Ｂ：空燃比センサー１２が活性化していないこと。
・判定条件Ｃ：燃料系及びＥＧＲ系に異常があること。
・判定条件Ｄ：大気圧が判定値未満であること。
・判定条件Ｅ：エンジン４の暖機が未完であり、且つ吸気温が既定の判定値よりも低いこと。
・判定条件Ｆ：エンジン４の暖機が未完であり、且つ変速機油温が既定の判定値よりも低いこと。
・判定条件Ｇ：ＩＳＣ学習が未完であること。
・判定条件Ｈ：エンジン４の燃焼状態の悪化が確認されていること。
【００２４】
以上の判定条件Ａ〜Ｈのすべてが不成立となるときには（Ｓ１００：ＮＯ）、ステップＳ１０１において、ロックアップ時回転速度が「ＮＣＳＴ＿ＯＫ」に、ロックアップ開放車速が「ＬＵＯＦＳＰＤ＿ＯＫ」にそれぞれ設定される。また判定条件Ａ〜Ｈのいずれか１つ以上が成立するときには（Ｓ１００：ＹＥＳ）、ステップＳ１０２において、ロックアップ時回転速度が「ＮＣＳＴ＿ＮＧ」に、ロックアップ開放車速が「ＬＵＯＦＳＰＤ＿ＮＧ」にそれぞれ設定される。
【００２５】
なお、「ＮＣＳＴ＿ＮＧ」は、「ＮＣＳＴ＿ＯＫ」よりも大きい値に設定されている。また「ＬＵＯＦＳＰＤ＿ＮＧ」は、「ＬＵＯＦＳＰＤ＿ＯＫ」よりも大きい値に設定されている。すなわち、本実施の形態では、上記判定条件Ａ〜Ｈのいずれか１つ以上が成立するときには、そうでないときに比して、ロックアップ時回転速度及びロックアップ開放車速が高くされるようになっている。
【００２６】
ここで上記判定条件Ａの成立時には、ロックアップ時回転速度及びロックアップ開放車速の設定に必要な情報が正しくない虞がある。そこでこうした場合には、ロックアップ開放時のエンジンストールがより発生し難くなるように、ロックアップ時回転速度及びロックアップ開放車速を高めている。
【００２７】
また上記判定条件Ｂの成立時には、エンジン４の空燃比制御を適切に行えないため、エンジン４の動作が不安定となる。そこでこうした場合にも、ロックアップ開放時のエンジンストールがより発生し難くなるように、ロックアップ時回転速度及びロックアップ開放車速を高めている。
【００２８】
更に上記判定条件Ｃの成立時には、ＥＧＲガスや燃料の過不足により、エンジン４の動作が不安定となることがある。そこでこうした場合にも、ロックアップ開放時のエンジンストールがより発生し難くなるように、ロックアップ時回転速度及びロックアップ開放車速を高めている。
【００２９】
また上記判定条件Ｄの成立時には、吸気の密度が低く、エンジン４の燃焼状態が悪化してその動作が不安定となり易くなっている。そこでこうした場合にも、ロックアップ開放時のエンジンストールがより発生し難くなるように、ロックアップ時回転速度及びロックアップ開放車速を高めている。
【００３０】
一方、上記判定条件Ｅの成立時には、すなわちエンジンの暖機前にあって、吸気温が低いときには、吸気ポートやシリンダー等の壁面温度が低く、噴射した燃料の多くが液滴として壁面に付着してしまう。そのため、燃料供給再開後の燃焼室に燃焼可能な混合気として流入する燃料が不足して、燃焼が悪化するようになる。そこで本実施の形態では、こうした場合にも、ロックアップ時回転速度及びロックアップ開放車速を高めることで、燃焼状態の悪化によるロックアップ開放時のエンジンストールの発生を防止するようにしている。
【００３１】
また上記判定条件Ｆの成立時には、変速機油温が低く、ＣＶＴ１のフリクションが大きい状態となっている。そのため、こうした場合には、エンジン回転速度の維持により多くのエンジントルクが必要となり、ロックアップ開放時にエンジンストールが発生し易くなる。そこで、本実施の形態では、こうした場合にも、ロックアップ時回転速度及びロックアップ開放車速を高めることで、ロックアップ開放時のエンジンストールの発生を防止するようにしている。
【００３２】
一方、上記判定条件Ｇの不成立時には、エンジン回転速度を既定のアイドル回転速度とすべく実施されるアイドルスピードコントロール（ＩＳＣ）の学習結果がクリアされた状態となっている。ＩＳＣの学習によれば、エンジン４のスロットルにデポジットが付着しても、アイドル運転中のスロットル開度を増大補正して、必要な空気量を確保することができる。一方、ＩＳＣ学習が未完であれば、スロットルにデポジットが付着していても、スロットル開度の増大補正がなされない。そのため、ＩＳＣ学習が未完であるときには、必要な空気量を確保できず、エンジン４の燃焼が悪化することがある。そこで本実施の形態では、ＩＳＣ学習が未完のときには、ロックアップ時回転速度及びロックアップ開放車速を高めることで、燃焼状態の悪化によるロックアップ開放時のエンジンストールの発生を防止するようにしている。
【００３３】
また上記判定条件Ｈの成立時には、エンジン４の燃焼状態が悪化していることが明らかなため、ロックアップ開放時のエンジンストールの発生を防止すべく、ロックアップ時回転速度及びロックアップ開放車速を高めるようにしている。なお燃焼状態の悪化は、エンジン回転速度の低下や失火の検出により確認されるようになっている。
【００３４】
なお、こうした本実施の形態では、電子制御ユニット５が上記開放車速変更手段に相当する構成となっている。
以上説明した本実施の形態の車両の制御装置によれば、以下のような効果を得ることができる。
【００３５】
（１）本実施の形態では、燃焼状態が悪化し易いエンジン運転状況にあるときには、そうでないときに比して、ロックアップ開放車速を高くするようにしている。より詳しくは、エンジンの暖機が未完であり、且つ吸気温が既定の判定値よりも低いこと、及びエンジンの暖機が未完であり、且つ変速機油温が既定の判定値よりも低いこと、のいずれかの成立を条件に、燃焼状態が悪化し易い機関運転状況にあると判断してロックアップ開放車速を高くするようにしている。こうした場合、燃焼状態が悪化し易いエンジン運転状況にあるときには、より高車速で減速ロックアップが解除されるようになる。そのため、燃焼状態が悪く、ロックアップ開放後に多少のエンジン回転速度の落ち込みがあったとしても、エンジンストールにまで至らないようにすることができるようになる。また燃焼状態が悪化し易くないエンジン運転状況にあるときには、ロックアップ領域が減速側に拡大されるようになる。したがって、本実施の形態によれば、ロックアップ領域の拡大とエンジンストールへの耐性の確保との両立を図ることができるようになる。
【００３６】
（２）本実施の形態では、ロックアップ開放車速の高速化と共にエンジン４のロックアップ時回転速度の高速化を実施するようにしている。そのため、ロックアップ開放後のエンジンストールの発生をより確実に防止することができるようになる。
【００３７】
（第２の実施の形態）
次に、本発明の車両の制御装置を具体化した第２の実施の形態を、図３を併せ参照して詳細に説明する。なお本実施の形態にあって、上記実施の形態と共通する構成については、同一の符号を付してその詳細な説明は省略する。
【００３８】
空燃比制御を行うエンジン４では、空燃比の学習制御を行うことで、個体差や経時変化によるインジェクターの噴射率のばらつき、例えば噴孔の詰りによる噴射率の低下などに拘らず、必要な燃料噴射量を確保するようにしている。なお、こうした空燃比の学習結果は、車載バッテリーの取り外しなどによりクリアされてしまうことがある。そこでそうした場合には、空燃比の再学習が完了するまで、適量の燃料噴射ができなくなり、エンジン４の燃焼状態が悪化することがある。
【００３９】
そこで本実施の形態では、エンジン４の空燃比学習が未完であることを条件に、燃焼状態が悪化し易い機関運転状況にあると判断してロックアップ開放車速を高くするようにしている。こうした本実施の形態では、空燃比学習が未完であることによる燃焼状態の悪化に拘らず、ロックアップ開放時におけるエンジンストールの発生を好適に防止することができるようになる。
【００４０】
図３は、本実施の形態の採用するロックアップ開放車速設定ルーチンのフローチャートを示している。本ルーチンの処理は、エンジン４の運転中に電子制御ユニット５によって、所定の制御周期（例えば１６ｍｓ）毎に繰り返し実行されるものとなっている。なお本ルーチンは、図２に示した第１の実施の形態の同ルーチンのステップＳ１００にて成否の判定される判定条件に、下記判定条件Ｉを追加したものとなっている。
【００４１】
本ルーチンが開始されると、まずステップＳ１００’において、上記判定条件Ａ〜Ｈ及び下記判定条件Ｉのうちのいずれか１つ以上が成立しているか否かが判断される。判定条件Ｉは、空燃比学習が未完であること、となっている。
【００４２】
そして判定条件Ａ〜Ｉのすべてが不成立となるときには（Ｓ１００’：ＮＯ）、ステップＳ１０１において、ロックアップ時回転速度が「ＮＣＳＴ＿ＯＫ」に、ロックアップ開放車速が「ＬＵＯＦＳＰＤ＿ＯＫ」にそれぞれ設定される。また判定条件Ａ〜Ｉのいずれか１つ以上が成立するときには（Ｓ１００’：ＹＥＳ）、ステップＳ１０２において、ロックアップ時回転速度が「ＮＣＳＴ＿ＮＧ」に、ロックアップ開放車速が「ＬＵＯＦＳＰＤ＿ＮＧ」にそれぞれ設定される。
【００４３】
以上の本実施の形態によれば、上記（１）及び（２）の効果に加え、更に次の効果を奏することができる。
（３）本実施の形態では、エンジン４の空燃比学習が未完であることを条件に、燃焼状態が悪化し易い機関運転状況にあると判断してロックアップ開放車速を高くするようにしている。そのため、空燃比学習が未完であることによる燃焼状態の悪化に拘らず、ロックアップ開放時におけるエンジンストールの発生を好適に防止することができるようになる。
【００４４】
なお、上記実施の形態は以下のように変更して実施することもできる。
・上記実施の形態では、ロックアップ開放車速の高速化と共に、ロックアップ時回転速度の高速化も併せ行うようにしていたが、ロックアップ時回転速度を設定しない場合などには、ロックアップ開放車速の高速化のみを行うようにしても良い。
【００４５】
・上記実施の形態でのステップＳ１００，１００’においてその成否が判定される判定条件Ａ〜Ｄ、Ｇ及びＨのうちのいずれか１つ又は複数を割愛するようにしても良い。そうした場合にも、判定条件Ｅ，Ｆの成立に応じてロックアップ開放車速を高めれば、ロックアップ開放後の燃焼状態の悪化によるエンジンストールの発生を好適に防止することは可能である。また、低油温時のＣＶＴ１のフリクションの増大がエンジンストール耐性に与える影響を無視できるのであれば、上記判定条件Ｆについてもその割愛が可能である。
【００４６】
・上記実施の形態では、エンジン４の暖機が未完であり、且つ吸気温が既定の判定値よりも低いことを条件に、燃焼状態が悪化し易いエンジン運転状況にあるとして、ロックアップ開放車速の高速化を図るようにしていた。もっとも、吸気温に拘らず、エンジン４の暖機が未完であれば、燃焼状態が悪化し易いエンジン運転状況にあると言える。したがって、吸気温に拘らず、エンジン４の暖機が未完であれば、直ちにロックアップ開放車速を高めるようにしても良い。
【００４７】
・上記実施の形態では、変速機として無段変速機（ＣＶＴ１）を搭載する車両に本発明の制御装置を適用した場合を説明したが、本発明は、有段変速機を搭載する車両にも、上記実施の形態と同様或いはそれに順じた態様で適用することができる。
【符号の説明】
【００４８】
１…無段変速機（ＣＶＴ）、２…ロックアップクラッチ、３…トルクコンバーター、４…エンジン、５…電子制御ユニット（開放車速変更手段）、６…アクセルセンサー、７…車速センサー、８…水温センサー、９…吸気温センサー、１０…油温センサー、１１…空気量センサー、１２…空燃比センサー、１３…ＮＥセンサー。
【図１】
2011169372.tif 000003
【図２】
2011169372.tif 000004
【図３】
2011169372.tif 000005